(57)【要約】【課題】高圧室の容積を広く取ることによりマフラー効果を高めた圧縮機において、潤滑油の分離の効果を高めるため、導入孔を高い位置に配すると潤滑油が吐出されずに高圧室下部に滞留し、必要潤滑油の封入量を多くする必要があり、また滞留した潤滑油によって高圧室の実質容積が減りマフラー効果も低減するという課題を有していた。【解決手段】高圧室１４の上部に第１の導入孔５３、高圧室の下部に第２の導入孔５９を配することにより、高圧室１４の下部に溜まる潤滑油を分離室５１に流入させることが可能となり、高圧室１４の下部に潤滑油が滞留することを防止出来る。【選択図】図１
2006097487.tif 000002
【特許請求の範囲】
【請求項１】
潤滑油を含む気流体を圧縮する圧縮機構と、前記圧縮機構により圧縮された前記気流体が導かれる高圧室と、前記気流体に含まれる潤滑油の少なくとも一部が旋回流により遠心分離する分離室と、前記分離室にて前記気流体から分離された潤滑油が貯えられる貯油室とを備える圧縮機において、前記高圧室と前記分離室とは２個以上の導入孔で連通しており、少なくとも、第１の導入孔は前記高圧室上部に設けると共に、第２の導入孔は前記高圧室の下部に設けたもので、第３以降の導入孔を設ける場合は高圧室内の上下方向において、前記第１の導入孔と第２の導入孔の間に設けたことを特徴とする圧縮機。
【請求項２】
第１の導入孔および第２の導入孔は、分離室内の旋回流と同一方向となるよう、前記分離室の円周内壁面の接線方向に向けて開口したことを特徴とする請求項１に記載の圧縮機。
【請求項３】
第１の導入孔の開口面積は、第２の導入孔の開口面積より大きくしたことを特徴とする請求項１又は２に記載の圧縮機。
【請求項４】
第１の導入孔の開口面積は、第２の導入孔の開口面積に対して２．５倍〜１０倍としたことを特徴とする請求項３に記載の圧縮機。
【発明の詳細な説明】
【技術分野】
【０００１】
本発明は、流体の圧縮を行う圧縮機に関するもので、特に自動車用空調装置などに供される圧縮機等の油分離に関するものである。
【背景技術】
【０００２】
このような圧縮機においては、圧縮された流体と共に圧縮機潤滑油の一部を空調装置のエアコンサイクル中へ吐出してしまう。流体と共に吐出される潤滑油が多く吐出されるほど熱交換器壁面に潤滑油が付着し、熱交換効率の低下や、配管壁面に潤滑油が付着し圧力損失が増加し、エアコンシステム効率が低下する。
【０００３】
このため、従来の圧縮機においては、空調装置のエアコンサイクル中への潤滑油の吐出を抑制するため、圧縮機構の吐出側に、圧縮された流体から潤滑油を分離する分離室を設けている（例えば、特許文献１参照）。
【０００４】
図４は、従来の圧縮機の断面図である。圧縮機構１１０の吐出ポート１１３から吐出冷媒は、吐出室１２２ａと導入孔１２２を通じて、冷媒から潤滑油を分離する分離室１２１に導入される。分離室１２１の下側（重力の向き）には分離された潤滑油を貯える貯油室１３０が形成され、分離室１２１で分離された潤滑油を貯油室１３０に排出する排出孔１２３が分離室１２１に形成されている。そして、貯油室１３０には、排出孔１２３から吹き出す潤滑油を衝突させ、排出孔１２３から吹き出す潤滑油が、貯油室１３０内の油面に直接衝突することを防止する衝突壁１１１ａが形成されている。これにより、排出孔１２３から吹き出した潤滑油は、先ず、衝突壁１１１ａに衝突させることによって、貯油室１３０内の油面に直接衝突することを防止している。したがって、油面が変動することを抑制することができるので、潤滑油が貯油室１３０から分離室１２１に逆流してしまうことを防止している。
【特許文献１】特開平１１−８２３５２号公報
【発明の開示】
【発明が解決しようとする課題】
【０００５】
ところで、該公報記載の圧縮機においては、吐出ポートから導入孔に至る高圧室の容積を広く取ることによりマフラー効果となり吐出脈動低減が可能となる。しかしながら、分離の効果を高めるため、高圧室と分離室とを連通する導入孔を高い位置に配して前記導入孔と排出孔の距離を取る必要がある。前記導入孔を高い位置に配すると高圧室の内部で分離した潤滑油が吐出されずに高圧室下部に滞留する。高圧室下部に潤滑油が滞留（概ね１０〜２０ｃｃ）するとエアコンサイクル上必要な潤滑油の一部が滞留するため耐久性に必要な潤滑油量が不足する可能性があり潤滑油の封入量を必要以上に多くする必要がある。また滞留した潤滑油によって高圧室の実質容積が減りマフラー効果も低減するという課題を有していた。
【０００６】
本発明は、前記従来の課題を解決するもので、高圧室内に潤滑油が滞留しない構成を提供することを目的とする。
【課題を解決するための手段】
【０００７】
前記従来の課題を解決するために、本発明の圧縮機は、前記高圧室と前記分離室を２個以上の導入孔で連通し、第１の導入孔は、前記高圧室上部に設け、第２の導入孔は前記高圧室の下部に設けたものである。
【０００８】
これによって、高圧室下部に滞留した潤滑油は前記第２の導入孔より分離室に流入させることができ、高圧室下部に潤滑油が滞留しない構成が可能となる。
【発明の効果】
【０００９】
本発明の圧縮機は、高圧室内に潤滑油が滞留しない構成となるため、潤滑油の封入量を必要以上に増加させることがなくなる。また、高圧室の容積を有効に活用することができマフラー効果により吐出脈動低減が可能となる。従って、高圧室を大型化する必要がなく、圧縮機の小型化が可能となる。
【発明を実施するための最良の形態】
【００１０】
第１の発明は、潤滑油を含む気流体を圧縮する圧縮機構と、前記圧縮機構により圧縮された前記気流体が導かれる高圧室と、前記気流体に含まれる潤滑油の少なくとも一部が旋回流により遠心分離する分離室と、前記分離室にて前記気流体から分離された潤滑油が貯えられる貯油室とを備える圧縮機において、前記高圧室と前記分離室とは２個以上の導入孔で連通しており、少なくとも第１の導入孔は前記高圧室の上部に設けると共に、第２の導入孔を前記高圧室の下部に設けたもので、第３以降の導入孔を設ける場合は、高圧室内の上下方向において、前記第１の導入孔と第２の導入孔の間に設けたものである。これにより、高圧室下部に滞留した潤滑油が分離室内に流入し、高圧室に潤滑油が滞留しなくなり、必要以上の潤滑油を封入する必要が無くなる。さらに高圧室の容積を有効に活用することができマフラー効果により吐出脈動低減が可能となる。
【００１１】
第２の発明は、第１の発明において、第１の導入孔および第２の導入孔を、分離室内の旋回流と同一方向となるよう、前記分離室の円周内壁面の接線方向に向けて開口したものである。これにより、前記第２の導入孔には、前記第１の導入孔より流入した流体の旋回流の負圧により、高圧室下部に滞留した潤滑油が分離室に吸引され、潤滑油の分離効率を向上させることが可能になる。
【００１２】
第３の発明は、第１の導入孔の開口面積を、第２の導入孔の開口面積より大きくしたもので、これにより、第１の導入孔からの流体の流入量は、第２の導入孔からの流体の流入量より多くなり、潤滑油の分離が必要な流体の大部分は、分離室における排出孔までの距離の長い第１の導入孔から優先的に導かれ、分離室における潤滑油の分離効率の向上を図ることができる。
【００１３】
第４の発明は、第１の導入孔の開口面積を、第２の導入孔の開口面積のおよそ２．５倍〜１０倍の中で選択することにより、第１の導入孔からの流体の流入量と、第２の導入孔からの流体の流入量の比率を最適化し、第２の導入孔から分離室への高圧室下部に滞留した潤滑油の流入量を調整し、分離室内の潤滑油比率が過剰となることを抑制し、分離室の分離効率を最大化することができる。
【００１４】
以下、本発明の形態について、図面を参照しながら説明する。なお、この実施の形態によってこの発明が限定されるものではない。
【００１５】
（実施の形態１）
図１は、本発明の実施の形態１における圧縮機の断面図、図２は作動室の断面で図１のＡ−Ａ断面図、図３は圧縮機作動室側から見た高圧ケースで、図１のＢ矢視図である。
【００１６】
図示したように、この圧縮機においては、円筒内壁を有するシリンダ１に略円柱状のロータ２がその外周の一部がシリンダ１の内壁と微少隙間を形成するように回転自在に収容されている。ロータ２には複数のベーンスロット３が等間隔に設けられており、ベーンスロット３内には、摺動自在にベーン４がそれぞれ挿入されている。ロータ２はこれと一体
的に形成された駆動軸５が回転駆動されることにより回転する。シリンダ１の両端開口部はそれぞれ前部側板６及び後部側板７により閉塞され、シリンダ１内部に作動室８が形成される。作動室８には吸入口９及び吐出口１０が連通し、吐出口１０は高圧通路１３に接続され、吐出口１０と高圧通路１３との間には吐出弁１１が配設されている。
【００１７】
後部側板７には高圧ケース１２が取り付けられており、高圧ケース１２内には高圧室１４、分離室５１及び貯油室５２が形成されている。高圧室１４の上部には分離室５１に連通させるように第１の導入孔５３が配されており、高圧室１４の下部には分離室５１に連通させるように第２の導入孔５９が配されている。なお、図示しない第３の導入孔以降も第１および第２の導入孔の上下方向の間に配される。
【００１８】
分離室５１は、圧縮された高圧流体に含まれる潤滑油を遠心分離するために設けられている。分離室５１は排出孔５０を介して貯油室５２と連通している。貯油室５２に貯められた潤滑油は給油路１８を介して圧縮機構を構成するロータ２、ベーン４、シリンダ１内壁等に供給され、各部を潤滑すると共に、ベーン背圧室１７に供給され、その圧力によりベーン４をロータ２の外側へ押し出す働きをする。潤滑油の給油は貯油室５２から圧縮機構に潤滑油を供給する給油路１８を介して行われ、給油路１８の途中には、ベーン背圧調整装置１６が設けられている。ベーン背圧調整装置１６は圧縮機構へ供給する潤滑油の給油圧力や給油量を圧縮機構周辺の流体（冷媒）圧力に応じて制御する。
【００１９】
以上のように構成された圧縮機について、以下その動作、作用を説明する。
【００２０】
エンジンなどの駆動源より動力伝達を受けて駆動軸５及びロータ２が、図２において時計方向に回転すると、これに伴い低圧流体（冷媒）が吸入口９より作動室８内に流入する。ロータ２の回転に伴い圧縮された高圧流体は吐出口１０より吐出弁１１を押し上げて高圧通路１３に吐出され、高圧室１４内に流入する。高圧脈動低減のためにマフラー効果を行なうため高圧室１４は容積を確保されており、高圧室１４に流入した高圧流体は、高圧室内面に衝突し、一部潤滑油が分離し高圧室１４下部に滞留する。高圧室１４の高圧流体および潤滑油は第１の導入孔５３および第２の導入孔５９から分離室５１に流入する。
【００２１】
分離室５１では高圧流体に含まれる潤滑油が遠心分離され、分離室５１下端部には分離された潤滑油を貯油室５２に導く導油路５０が形成されている。導油路５０は、図１に示したように、分離室５１の中心軸線と略平行線上で下方に向かって形成されており、導油路５０の貯油室側開口部５４は貯油室５２に貯まった潤滑油の油面より下方の潤滑油中で開口している。
【００２２】
また、分離された潤滑油の自重を利用するといった技術的思想の基に、貯油室５２内上部と分離室５１との間に、これら相互間の流体移動を許容する再導入孔５７を設けることにより、貯油室５２上部に貯まった冷媒ガス等の気体流を分離室に移動させ、分離室内の油面を、貯油室の油面に対して、鉛直方向に同等か、少し下方向になるように作用させている。
【００２３】
高圧室１４と分離室５１を連通している第１の導入孔５３は、高圧室１４の上部に配されており、貯油室側開口部５４との距離が長いため、潤滑油の分離効率が最も期待できる。
【００２４】
また、第２の導入孔５９は高圧室１４の下部に配されており、高圧室１４下部に滞留した潤滑油を分離室に流入させることができる。
【００２５】
また、第１の導入孔５３および第２の導入孔５９は、前記分離室の旋回流が同一方向と
なるよう、円周内壁面の接線方向に向けて開口することで、第２の導入孔５９には、前記第１の導入孔５３より流入した流体の旋回流の負圧が作用し、高圧室１４下部の滞留した潤滑油が分離室５１に吸引されるため、潤滑油の分離室５１への流入を円滑に行なうことができる。
【００２６】
また、第１の導入孔５３の開口面積を、前記第２の導入孔の開口面積よりおよそ２．５倍〜１０倍の面積となるように選択的に設定することにより、分離室５１における貯油室側開口部５４までの距離の長い、第１の導入孔５３から流体を優先的に流入させ、第２の導入孔５９からの流体の流入量との比率を最適化することができ、第２の導入孔５９から分離室５１内への高圧室１４下部に滞留した潤滑油の流入量を調整し、分離室５１内の潤滑油比率が過剰となることを抑制し、分離室５１の分離効率を最大化することができる。さらに、高圧室１４下部の潤滑油が滞留しなくなり、必要以上の潤滑油を封入する必要がなくなる。さらに高圧室１４の容積を有効に活用することができマフラー効果により吐出脈動低減が可能となる。
【００２７】
以上のように、構成した圧縮機によれば、第２の導入孔５９を高圧室１４の下部に配することにより、潤滑油の分離効率を損なうことなく高圧室１４下部の潤滑油を分離室５１に流入させることが可能になり、高圧室１４下部に潤滑油が滞留しなくなり、潤滑油の封入量を必要以上に封入させることが無くなる、さらに高圧室１４の容積を確保する事が可能となりマフラー効果により吐出脈動低減が可能となる。
【００２８】
なお、上述の実施形態では、圧縮機として、スライディングベーン型ロータリ圧縮機構を用いたが、本発明はこれに限定されるものではなく、ローリングピストン型、スクロール型等その他の圧縮機構であってもよい。また、本実施の形態では、導入孔の開口部形状を、円又は長円形状で示しているが、これに限定されるものではない。
【産業上の利用可能性】
【００２９】
以上のように、本発明にかかる圧縮機は、必要以上の潤滑油を封入する必要が無くなる。さらに高圧室の容積を有効に活用することができマフラー効果により吐出脈動低減が可能となるので、その他の形式の圧縮機構を持った圧縮機にも適用出来る。
【図面の簡単な説明】
【００３０】
【図１】本発明の第１の実施形態を示す圧縮機の断面図
【図２】図１に示した圧縮機のＡ−Ａ断面図
【図３】本発明の第１の実施形態の高圧ケースを作動室側から見たＢ矢視図
【図４】従来の圧縮機の断面図
【符号の説明】
【００３１】
１  シリンダ
２  ロータ
３  ベーンスロット
４  ベーン
５  駆動軸
６  前部側板
７  後部側板
８  作動室
９  吸入口
１０  吐出口
１１  吐出弁
１２  高圧ケース
１３  高圧通路
１４  高圧室
１６  ベーン背圧付与装置
１７  ベーン背圧室
１８  給油路
５０  導油路
５１  分離室
５２  貯油室
５３  第１の導入孔
５４  貯油室側開口部（導油路）
５７  再導入孔
５８  ガス排出口
５９  第２の導入孔
【図１】
2006097487.tif 000003
【図２】
2006097487.tif 000004
【図３】
2006097487.tif 000005
【図４】
2006097487.tif 000006